【手続補正書】
【提出日】平成20年7月10日(2008.7.10)
【手続補正１】
【補正対象書類名】特許請求の範囲
【補正対象項目名】全文
【補正方法】変更
【補正の内容】
【特許請求の範囲】
【請求項１】
被写体の画像を撮像する撮像手段と、
前記撮像手段に対応して設けられた可動式の赤外除去フィルタと、
被写体の変化を検出する際には、前記赤外除去フィルタを無効にし、被写体の画像を記録する際には、前記赤外除去フィルタを有効にする制御手段と、
前記撮像手段により撮像された複数の画像に基づいて被写体の変化を検出する検出手段と、
被写体の変化が検出されると、前記制御手段により前記赤外除去フィルタを有効にしてから、被写体のカラー画像を記録する記録手段と
を含む、撮像装置。
【請求項２】
前記制御手段は、被写体の変化を検出する際には、前記赤外除去フィルタを前記撮像手段に関する光路上から退避させ、被写体の画像を記録する際には、前記赤外除去フィルタを前記光路上に移動させ、
前記記録手段は、被写体の変化が検出されると、前記制御手段により前記赤外除去フィルタを前記光路上に移動させることを特徴とする請求項１に記載の撮像装置。
【請求項３】
前記撮像手段は、被写体の変化を検出する際には、前記撮像手段を構成する全素子の数よりも少ない数の画像信号を出力する、請求項１に記載の撮像装置。
【請求項４】
前記撮像手段は、被写体の変化を検出する際には、前記撮像手段を構成する２以上の素子ごとに該素子から出力される信号を加算することで１画素の画像信号として出力する、請求項３に記載の撮像装置。
【請求項５】
前記撮像手段は、被写体の変化を検出する際には、前記撮像手段を構成する複数の素子のうち一部の素子からの画像信号だけを読み出す、請求項３に記載の撮像装置。
【請求項６】
前記撮像手段は、該撮像手段の撮像領域に含まれる全素子を用いて撮像する時の第１のフレームレートよりも高速の第２のフレームレートにより前記画像を撮像する、請求項３ないし５の何れか１項に記載の撮像装置。
【請求項７】
前記撮像手段は、該撮像手段の撮像領域に含まれる全素子を用いて前記カラー画像を撮像する、請求項１ないし６の何れか１項に記載の撮像装置。
【請求項８】
前記撮像手段は、前記第２のフレームレートよりも低速の第１のフレームレートにて前記カラー画像を撮像する、請求項７に記載の撮像装置。
【請求項９】
前記赤外除去フィルタが前記光路上から退避した状態で、前記撮像手段から出力される画像信号に含まれる信号成分のうち高域成分を用いて、撮像光学系の合焦位置を検出する焦点検出手段をさらに含み、
前記記録手段は、前記検出された合焦位置に応じて、前記撮像手段により撮像されたカラー画像を記録する、請求項１ないし８の何れか１項に記載の撮像装置。
【請求項１０】
被写体の変化を検出する際には照明を無効とし、前記画像を記録する際には照明を有効とする照明手段をさらに含む、請求項１ないし９の何れか１項に記載の撮像装置。
【請求項１１】
前記記録されたカラー画像を外部に送信する送信手段をさらに含む、請求項１ないし１０の何れか１項に記載の撮像装置。
【請求項１２】
前記記録されたカラー画像を、着脱可能な記録媒体に書き込む手段をさらに含む、請求項１ないし１１の何れか１項に記載の撮像装置。
【請求項１３】
撮像手段を用いて被写体の画像を撮像する撮像方法であって、
前記撮像手段に対応して設けられた可動式の赤外除去フィルタを無効にするステップと、
前記撮像手段により撮像された複数の画像に基づいて被写体の変化を検出するステップと、
被写体の変化が検出されると、前記赤外除去フィルタを有効にするステップと、
前記撮像手段により、被写体のカラー画像を記録するステップと
を含む、撮像方法。
【手続補正２】
【補正対象書類名】明細書
【補正対象項目名】０００８
【補正方法】変更
【補正の内容】
【０００８】
本発明によれば、被写体の画像を撮像する撮像手段と、前記撮像手段に対応して設けられた可動式の赤外除去フィルタと、被写体の変化を検出する際には、前記赤外除去フィルタを無効にし、被写体の画像を記録する際には、前記赤外除去フィルタを有効にする制御手段と、前記撮像手段により撮像された複数の画像に基づいて被写体の変化を検出する検出手段と、被写体の変化が検出されると、前記制御手段により前記赤外除去フィルタを有効にしてから、被写体のカラー画像を記録する記録手段とを含む撮像装置が提供される。
【手続補正３】
【補正対象書類名】明細書
【補正対象項目名】０００４
【補正方法】変更
【補正の内容】
【０００４】
さらに長時間の監視を行うには、動きのない（平常）シーンでは画像を記録せず、一方で、動きのある（異常）シーンでは画像の記録を行えばよい。これにより、記録媒体の節約が可能になる。
【手続補正４】
【補正対象書類名】明細書
【補正対象項目名】００１２
【補正方法】変更
【補正の内容】
【００１２】
赤外除去フィルタ１０６は、赤外領域の光成分を低減または遮断する光学フィルタである。赤外除去フィルタ１０６は、駆動モータ１２３により駆動されて、レンズユニット１０１の光路に配置されたり、当該光路から退避したりする。駆動モータ１２３は、赤外除去制御ユニット１２６により制御される。駆動モータ１２３および赤外除去制御ユニット１２６は、赤外除去フィルタ１０６を移動させるための手段である。なお、赤外除去フィルタ１０６が光路に配置された状態では、撮像素子１４１上に結像する被写体像には赤外領域の光は含まれない。赤外除去フィルタ１０６が光路から退避した状態では、撮像素子１４１上に結像する被写体像に赤外領域の光も含まれることになる。
【手続補正５】
【補正対象書類名】明細書
【補正対象項目名】００２４
【補正方法】変更
【補正の内容】
【００２４】
ステップＳ３０２において、ＣＰＵ１５１は、撮像制御ユニット１４３に撮像命令を送出する。撮像制御ユニット１４３は、当該命令に応じて、撮像素子１４１から画像信号を読み出し、撮像信号処理ユニット１４２に出力する。なお、画像信号から画像データが作成されて、ＲＡＭ１５４に書き込まれる。
【手続補正６】
【補正対象書類名】明細書
【補正対象項目名】００３９
【補正方法】変更
【補正の内容】
【００３９】
とりわけ、本実施形態によれば、被写体の変化を検出する際には、撮像素子１４１を構成する４つの光電変換素子ごとに、これらの光電変換素子から出力される画像信号を加算することで１画素の画像信号として読み出す。そのため、実質的な感度を向上させることができる。また、撮像素子１４１を構成する全素子の数よりも少ない数の画像信号を出力することになるので、フレームレートを上げやすくなる。すなわち、撮像素子１４１を構成する全光電変換素子を用いて撮像する時のフレームレートよりも、高速のフレームレートにより撮像を実行できるようになる。これは、画素数が減少すれば、データの転送速度に余裕が生じるからである。また、フレームレートが上昇すれば、ＡＦの動作速度を向上させることもできる。なお、上述の実施形態では、４つの光電変換素子を１グループとしてまとめたが、２以上であればよいことはいうまでもない。
【手続補正７】
【補正対象書類名】明細書
【補正対象項目名】００４２
【補正方法】変更
【補正の内容】
【００４２】
また、撮像素子１４１から出力される画像信号のうち高域成分をＢＰＦにより抽出して、撮像光学系の合焦位置を検出してもよい。高域成分を用いれば、低輝度環境下でも合焦位置を検出しやすくなるからである。
【手続補正８】
【補正対象書類名】明細書
【補正対象項目名】００４４
【補正方法】変更
【補正の内容】
【００４４】
［第２の実施形態］
第２実施形態では、動画撮影の事例を紹介する。図５Ａは、実施形態に係る赤外除去フィルタが光路上に配置されているときの撮像素子との関係を説明する図である。５０１は、補色フィルタが貼り付けられた撮像素子１４１の有効領域全体を表している。図中の各マスは、１つの光電変換素子を示している。５０２は、撮像素子１４１の一部の領域を示している。５１１は、シアンのフィルタが貼られた光電変換素子を示している。５１２は、緑のフィルタが貼られた光電変換素子を示している。５１３は、イエローのフィルタが貼られた光電変換素子を示している。５１４は、マゼンタのフィルタが貼られた光電変換素子である。撮像信号処理ユニット１４２は、各光電変換素子から画像信号を読み出し、各光電変換素子と原色フィルタとの関係を考慮して、高解像度のカラー画像を作成する。